(57)【要約】【課題】画素電極に供給した電位を容量電位に応じて変動させて電気光学素子の印加電圧を設定する構成のもとで、画素電極に供給される電位の振幅を低減する。【解決手段】容量電位線２４には順次に変動する容量電位ＶCOM[m]が供給される。画素回路ＰIXは、画素電極５２と共通電極５４とを含む液晶素子５０と、画素電極５２と容量電位線２４との間の蓄積容量ＣSと、画素電極５２と共通電位線２２との間の第１制御スイッチＴC1とを含む。共通電極５４と共通電位線２２とには共通電位LCCOMが供給される。駆動回路３０は、書込期間Ｈ[m]にて画素電極５２に電位を供給し、階調ＧWが指定されると、書込期間Ｈ[m]の経過以後の容量電位ＶCOM[m]の変動時を含む期間にて第１制御スイッチＴC1をオフし、階調ＧBが指定されると、書込期間Ｈ[m]の経過以後の容量電位ＶCOM[m]の変動時を含む期間にて第１制御スイッチＴC1をオンする。【選択図】図２
2011027893.tif 000002
【特許請求の範囲】
【請求項１】
高位側電位および低位側電位の一方から他方に順次に変動する容量電位が供給される容量電位線と、
画素電極と共通電位が供給される共通電極とを含む電気光学素子と、
前記画素電極と前記容量電位線との間に介在する蓄積容量と、
前記画素電極と前記共通電位が供給される共通電位線との接続を制御する第１制御スイッチと
を具備する電気光学装置の駆動方法であって、
書込期間にて前記画素電極に電位を供給し、
第１電圧に対応する第１階調が指定された場合、前記書込期間の経過以後に前記容量電位が変動する時点を含む期間にて前記第１制御スイッチをオフ状態に制御し、
前記第１電圧とは異なる第２電圧に対応する第２階調が指定された場合、前記書込期間の経過以後に前記容量電位が変動する時点を含む期間にて前記第１制御スイッチをオン状態に制御する
電気光学装置の駆動方法。
【請求項２】
高位側電位および低位側電位の一方から他方に順次に変動する容量電位が供給される容量電位線と、
画素電極と共通電位が供給される共通電極とを含む電気光学素子と、
前記画素電極と前記容量電位線との間に介在する蓄積容量と、
前記画素電極と前記共通電位が供給される共通電位線との接続を制御する第１制御スイッチと
を具備する電気光学装置。
【請求項３】
駆動回路を具備し、
前記駆動回路は、
書込期間にて前記画素電極に電位を供給し、
第１電圧に対応する第１階調が指定された場合、前記書込期間の経過以後に前記容量電位が変動する時点を含む期間にて前記第１制御スイッチをオフ状態に制御し、
前記第１電圧とは異なる第２電圧に対応する第２階調が指定された場合、前記書込期間の経過以後に前記容量電位が変動する時点を含む期間にて前記第１制御スイッチをオン状態に制御する
請求項２の電気光学装置。
【請求項４】
前記駆動回路は、前記第１階調が指定された場合に、前記共通電位を上回る正側階調電位と前記共通電位を下回る負側階調電位とを選択的に前記書込期間にて前記画素電極に供給し、前記第２階調が指定された場合に、前記書込期間にて前記共通電位を前記画素電極に供給する
請求項３の電気光学装置。
【請求項５】
前記駆動回路は、前記第１階調が指定された場合および前記第２階調が指定された場合の何れにおいても前記共通電位を前記書込期間にて前記画素電極に供給する
請求項３の電気光学装置。
【請求項６】
電位が供給される信号線と、
前記第１制御スイッチを制御する制御信号が供給される制御線と、
前記書込期間にて前記信号線を前記画素電極に接続する選択スイッチと、
前記第１制御スイッチのゲートと前記制御線との接続を制御する第２制御スイッチと
を具備し、
前記選択スイッチと前記第２制御スイッチとは共通の信号で制御される
請求項２から請求項５の何れかの電気光学装置。
【請求項７】
相交差する複数の走査線および複数の信号線と、
高位側電位および低位側電位の一方から他方に順次に変動する容量電位が供給される容量電位線と、
前記複数の走査線と前記複数の信号線との各交差に対応して配置された複数の画素回路と、
前記各画素回路を駆動する駆動回路とを具備し、
前記複数の画素回路の各々は、
画素電極と共通電位が供給される共通電極とを含む電気光学素子と、
前記画素電極と前記容量電位線との間に介在する蓄積容量と、
前記画素電極と前記共通電位が供給される共通電位線との接続を制御する第１制御スイッチと、
前記走査線の選択時に前記信号線と前記画素電極とを接続する選択スイッチとを含み、
前記駆動回路は、
前記複数の走査線の各々を書込期間毎に順次に選択するとともに前記書込期間にて前記信号線の各々に電位を供給し、
第１電圧に対応する第１階調が指定された場合、前記書込期間の経過以後に前記容量電位が変動する時点を含む期間にて前記第１制御スイッチをオフ状態に制御し、
前記第１電圧とは異なる第２電圧に対応する第２階調が指定された場合、前記書込期間の経過以後に前記容量電位が変動する時点を含む期間にて前記第１制御スイッチをオン状態に制御する
電気光学装置。
【請求項８】
請求項２から請求項７の何れかの電気光学装置を具備する電子機器。
【請求項９】
高位側電位および低位側電位の一方から他方に順次に変動する容量電位が供給される容量電位線と、
画素電極と共通電位が供給される共通電極とを含む電気光学素子と、
前記画素電極と前記容量電位線との間に介在する蓄積容量と、
前記画素電極と前記共通電位が供給される共通電位線との接続を制御する第１制御スイッチと
を具備する電気光学装置の駆動回路であって、
書込期間にて前記画素電極に電位を供給し、
第１電圧に対応する第１階調が指定された場合、前記書込期間の経過以後に前記容量電位が変動する時点を含む期間にて前記第１制御スイッチをオフ状態に制御し、
前記第１電圧とは異なる第２電圧に対応する第２階調が指定された場合、前記書込期間の経過以後に前記容量電位が変動する時点を含む期間にて前記第１制御スイッチをオン状態に制御する
電気光学装置の駆動回路。
【発明の詳細な説明】
【技術分野】
【０００１】
本発明は、液晶素子などの電気光学素子を駆動する技術に関する。
【背景技術】
【０００２】
指定階調に応じて液晶素子の画素電極に供給された電位（以下「階調電位」という）を、画素電極に接続された蓄積容量を利用して変動させる技術が例えば特許文献１に開示されている。図１７に示すように、走査線７２と信号線７４との交差に対応して配置された画素回路７０は、液晶素子８０と蓄積容量９２と選択スイッチ９４とを含んで構成される。液晶素子８０は、画素電極８２および共通電極（対向電極）８４と両電極間の液晶８６とで構成される。共通電極８４には共通電位LCCOMが供給される。蓄積容量９２は、画素電極８２と容量電位線７６との間に配置される。容量電位線７６には容量電位ＶCOMが供給される。選択スイッチ９４は、走査線７２の選択時に信号線７４と画素電極８２とを導通させる。指定階調に応じた電位が信号線７４に供給される。
【０００３】
図１８は、画素電極８２の電位ＶPおよび容量電位ＶCOMのタイミングチャートである。液晶素子８０がノーマリーブラックモードで動作する場合を想定する。図１８には、白色の表示が指示された場合（白表示）の画素電極８２の電位ＶPと黒色の表示が指示された場合（黒表示）の画素電極８２の電位ＶPとが図示されている。
【０００４】
白色に対応する正極性の電圧を液晶素子８０に印加する場合、走査線７２が選択される水平走査期間Ｈでは、共通電位LCCOM（５Ｖ）を上回る階調電位ＶWT[+]が信号線７４から画素電極８２に供給および保持される。そして、水平走査期間Ｈの経過後に容量電位ＶCOMを低位側電位ＶLから高位側電位ＶHに変動させることで、画素電極８２の電位ＶPを、階調電位ＶWT[+]から容量電位ＶCOMの振幅に応じた変化量ΔＶだけ上昇させる。また、白色に対応する負極性の電圧を液晶素子８０に印加する場合、画素電極８２の電位ＶPは、共通電位LCCOMを下回る階調電位ＶWT[-]に水平走査期間Ｈにて設定され、容量電位ＶCOMの変動（ＶH→ＶL）に連動して変化量ΔＶだけ低下する。したがって、階調電位（ＶWT[+]，ＶWT[-]）と共通電位LCCOMとの電位差を上回る電圧を液晶素子８０に印加することが可能である。
【０００５】
以上のように画素電極８２の電位ＶPを水平走査期間Ｈの経過後に変化させることで液晶素子８０の電圧が設定されるから、黒色の階調に対応する電圧を液晶素子８０に印加する場合（黒表示）には、容量電位ＶCOMの変動後に画素電極８２の電位ＶPが共通電位LCCOMと等しくなるように、水平走査期間Ｈ内での画素電極８２の電位ＶPを設定する必要がある。具体的には、図１８に示すように、容量電位ＶCOMが低位側電位ＶLから高位側電位ＶHに上昇する直前の水平走査期間Ｈでは、容量電位ＶCOMに連動した変動量（増加分）ΔＶを共通電位LCCOMから差引いた階調電位ＶBK[+]を画素電極８２に供給する必要がある。同様に、容量電位ＶCOMが高位側電位ＶHから低位側電位ＶLに低下する直前の水平走査期間Ｈでは、変動量（減少分）ΔＶを共通電位LCCOMに上乗せした階調電位ＶBK[-]を画素電極８２に供給する必要がある。
【先行技術文献】
【特許文献】
【０００６】
【特許文献１】特開２００２−１９６３５８号公報
【発明の概要】
【発明が解決しようとする課題】
【０００７】
以上の説明から理解されるように、黒色に対応する階調電位ＶBK[+]と階調電位ＶBK[-]との電位差ΔＶBKは、白色に対応する階調電位ＶWT[+]と階調電位ＶWT[-]との電位差ΔＶWTを上回る。したがって、階調電位ＶBK[+]と階調電位ＶBK[-]との電位差ΔＶBKを低減できれば、信号線７４の電位の振幅を更に抑制することが可能である。また、走査線７２の選択に必要な電位は階調電位ＶBK[-]に応じて設定されるから、階調電位ＶBK[-]を低下させれば走査線７２の電位を低下させることも可能である。なお、以上の説明ではノーマリーブラックモードを例示したが、液晶素子８０をノーマリーホワイトモードで動作させる場合にも同様に、信号線７４の電位の振幅の抑制が要求され、信号線７４の電位の振幅の抑制で走査線７２の電位を低下させることが可能である。以上の事情を考慮して、本発明は、画素電極に供給した電位を容量電位に応じて変動させて電気光学素子の印加電圧を設定する構成のもとで、画素電極に供給される電位の振幅を低減することを目的とする。
【課題を解決するための手段】
【０００８】
以上の課題を解決するために、本発明に係る電気光学装置は、高位側電位および低位側電位の一方から他方に順次に変動する容量電位が供給される容量電位線と、画素電極と共通電位が供給される共通電極とを含む電気光学素子と、画素電極と容量電位線との間に介在する蓄積容量と、画素電極と共通電位が供給される共通電位線との接続を制御する第１制御スイッチ（例えば図２の第１制御スイッチＴC1）とを具備する。以上の構成においては、共通電位が供給される共通電位線と画素電極との導通／非導通が第１制御スイッチで制御される。第１制御スイッチをオフ状態に制御した場合には画素電極の電位が容量電位線の容量電位に連動して変化し、第１制御スイッチをオン状態に制御した場合には容量電位が変動しても画素電極の電位は共通電位に維持される。したがって、特定の階調が指定された場合に第１制御スイッチをオン状態に制御すれば、書込期間にて画素電極に供給する電位を、容量電位に応じた変動分を加味した電位に設定する必要はない。したがって、書込期間にて画素電極に供給された電位を、階調に関わらず容量電位に応じて変動させる構成と比較して、画素電極に供給される電位の振幅を低減することが可能である。
【０００９】
本発明の好適な態様に係る電気光学装置は、駆動回路を具備し、駆動回路は、書込期間にて画素電極に電位を供給し、第１電圧（例えば図４の電圧ＶA）に対応する第１階調が指定された場合、書込期間の経過以後に容量電位が変動する時点（例えば図８や図１３の時点ｔAまたは時点ｔB）を含む期間にて第１制御スイッチをオフ状態に制御し、第１電圧とは異なる第２電圧（例えば図４の電圧ＶB）に対応する第２階調が指定された場合、書込期間の経過以後に容量電位が変動する時点（例えば図８や図１３の時点ｔAまたは時点ｔB）を含む期間にて第１制御スイッチをオン状態に制御する。
【００１０】
以上の態様においては、第１階調が指定された場合に第１制御スイッチがオフ状態に制御される（画素電極と共通電位線とが絶縁する）から、書込期間で画素電極に供給された電位は容量電位に連動して変化する。したがって、書込期間にて画素電極に供給する電位と共通電位との差分を上回る電圧を電気光学素子に印加することが可能である。他方、第２階調が指定された場合に第１制御スイッチはオン状態に制御される（画素電極と共通電位線とが導通する）から、画素電極に書込期間で供給された電位は容量電位が変化しても殆ど変化しない。したがって、第２階調が指定された場合に書込期間にて画素電極に供給される電位を、書込期間後の容量電位の変化に連動した変化分を加味した電位に設定する必要はない。以上の構成によれば、書込期間にて画素電極に供給された電位を、階調に関わらず容量電位に応じて変動させる構成と比較して、画素電極に供給される電位の振幅を低減することが可能である。
【００１１】
例えばノーマリーブラックモードの液晶素子を電気光学素子として採用した電気光学装置では、例えば白色（第１階調）に対応する電圧が第１電圧に相当し、黒色（第２階調）に対応する電圧が第２電圧に相当する。また、例えばノーマリーホワイトモードの液晶素子を電気光学素子として採用した電気光学装置では、例えば黒色（第１階調）に対応する電圧が第１電圧に相当し、白色（第２階調）に対応する電圧が第２電圧に相当する。
【００１２】
書込期間にて画素電極に供給される電位は、例えば、階調に応じて可変に設定される。具体的には、駆動回路は、第１階調が指定された場合に、共通電位を上回る正側階調電位（例えば図３の正側階調電位ＶWT[+]）と共通電位を下回る負側階調電位（例えば図３の負側階調電位ＶWT[-]）とを選択的に書込期間にて画素電極に供給し、第２階調が指定された場合に、書込期間にて共通電位を画素電極に供給する。以上の態様においては、第１階調が指定された場合に正側階調電位および負側階調電位が選択的に画素電極に供給されるから、容量電位に連動して変化させるべき画素電極の電位の変化量を低減することが可能である。したがって、容量電位の振幅を低減できるという利点がある。以上の態様の具体例は例えば第１実施形態として後述される。
【００１３】
もっとも、第１階調の指定時と第２階調の指定時とでは第１制御スイッチの状態（画素電極の電位が容量電位に応じて変動するか否か）が相違するから、書込期間にて画素電極に供給する電位を第１階調の指定時と第２階調の指定時とで相違させる必要は必ずしもない。すなわち、第１階調が指定された場合および第２階調が指定された場合の何れにおいても駆動回路が共通電位を書込期間にて画素電極に供給する構成も採用され得る。以上の構成によれば、書込期間にて画素電極に供給される電位を階調に応じて変化させる必要がないから、駆動回路の構成や動作が簡素化されるという利点がある。なお、以上の態様の具体例は例えば第２実施形態として後述される。
【００１４】
本発明の好適な態様に係る電気光学装置は、電位が供給される信号線と、第１制御スイッチを制御する制御信号が供給される制御線と、書込期間にて信号線を画素電極に接続する選択スイッチと、第１制御スイッチのゲートと制御線との接続を制御する第２制御スイッチ（例えば図２の第２制御スイッチＴC2）とを具備し、選択スイッチと第２制御スイッチとは共通の信号（例えば走査信号Ｙ[m]）で制御される。以上の態様においては、選択スイッチと第２制御スイッチとが共通の信号で制御されるから、両者が別個の信号で制御される構成と比較して電気光学装置の構成の簡素化（配線数の削減）が実現される。
【００１５】
本発明の具体的な態様に係る電気光学装置は、相交差する複数の走査線および複数の信号線と、高位側電位および低位側電位の一方から他方に順次に変動する容量電位が供給される容量電位線と、複数の走査線と複数の信号線との各交差に対応して配置された複数の画素回路と、各画素回路を駆動する駆動回路とを具備し、複数の画素回路の各々は、画素電極と共通電位が供給される共通電極とを含む電気光学素子と、画素電極と容量電位線との間に介在する蓄積容量と、画素電極と共通電位が供給される共通電位線との接続を制御する第１制御スイッチと、走査線の選択時に信号線と画素電極とを接続する選択スイッチとを含み、駆動回路は、複数の走査線の各々を書込期間毎に順次に選択するとともに書込期間にて信号線の各々に電位を供給し、第１電圧に対応する第１階調が指定された場合、書込期間の経過以後に容量電位が変動する時点を含む期間にて第１制御スイッチをオフ状態に制御し、第１電圧とは異なる第２電圧に対応する第２階調が指定された場合、書込期間の経過以後に容量電位が変動する時点を含む期間にて第１制御スイッチをオン状態に制御する。以上の構成においても、画素電極に供給される電位の振幅が低減されるという所期の効果が実現される。
【００１６】
以上の各態様に係る電気光学装置は各種の電子機器に利用される。電子機器の典型例は、電気光学装置を表示装置として利用した機器である。具体的には携帯電話機や携帯情報端末が本発明の電子機器として例示される。また、光源からの出射光を変調する光変調体として以上の各態様の電気光学装置を利用した投写型表示装置も本発明の電子機器の概念に包含される。投写型表示装置は、光線を出射する光源と、光源からの出射光を変調する以上の各態様の電気光学装置と、電気光学装置による変調光を投射面に投射する光学系とを具備する。
【００１７】
本発明は、以上の各態様に係る電気光学装置の駆動方法としても特定される。本発明に係る駆動方法は、書込期間にて画素電極に電位を供給し、第１電圧に対応する第１階調が指定された場合、書込期間の経過以後に容量電位が変動する時点を含む期間にて第１制御スイッチをオフ状態に制御し、第１電圧とは異なる第２電圧に対応する第２階調が指定された場合、書込期間の経過以後に容量電位が変動する時点を含む期間にて第１制御スイッチをオン状態に制御する。以上の駆動方法によれば本発明の電気光学装置と同様の効果が実現される。
【００１８】
また、本発明に係る電気光学装置の駆動回路は、書込期間にて画素電極に電位を供給し、第１電圧に対応する第１階調が指定された場合、書込期間の経過以後に容量電位が変動する時点を含む期間にて第１制御スイッチをオフ状態に制御し、第１電圧とは異なる第２電圧に対応する第２階調が指定された場合、書込期間の経過以後に容量電位が変動する時点を含む期間にて第１制御スイッチをオン状態に制御する。以上の駆動回路によれば、本発明の電気光学装置と同様の効果が実現される。
【図面の簡単な説明】
【００１９】
【図１】本発明の第１実施形態に係る電気光学装置のブロック図である。
【図２】画素回路の回路図である。
【図３】画素回路の駆動に利用される各信号の波形図である。
【図４】液晶素子の印加電圧と階調（透過率，反射率）との関係を示すグラフである。
【図５】容量線駆動回路の各単位回路の回路図である。
【図６】信号線駆動回路のブロック図である。
【図７】信号線駆動回路の動作の説明図である。
【図８】電気光学装置の動作のタイミングチャートである。
【図９】白色に対応する正極性の電圧を液晶素子に印加する場合の動作の説明図である。
【図１０】白色に対応する負極性の電圧を液晶素子に印加する場合の動作の説明図である。
【図１１】黒色に対応する正極性の電圧を液晶素子に印加する場合の動作の説明図である。
【図１２】黒色に対応する負極性の電圧を液晶素子に印加する場合の動作の説明図である。
【図１３】第２実施形態の動作のタイミングチャートである。
【図１４】電子機器の形態（パーソナルコンピュータ）を示す斜視図である。
【図１５】電子機器の形態（携帯電話機）を示す斜視図である。
【図１６】電子機器の形態（携帯情報端末）を示す斜視図である。
【図１７】従来の技術における画素回路の回路図である。
【図１８】従来の技術のもとで液晶素子を駆動する動作のタイミングチャートである。
【発明を実施するための形態】
【００２０】
＜Ａ：第１実施形態＞
図１は、本発明の第１実施形態に係る電気光学装置１００のブロック図である。電気光学装置１００は、画像を表示する表示体として様々な電子機器に採用される液晶装置である。図１に示すように、電気光学装置１００は、複数の画素回路ＰIXが平面状に配列された素子部（表示領域）１０と、各画素回路ＰIXを駆動する駆動回路３０と、各画素回路ＰIXの駆動用の電位を生成する電位生成回路４２と、駆動回路３０や電位生成回路４２を制御する制御回路４４とを具備する。駆動回路３０は、走査線駆動回路３２と信号線駆動回路３４と容量線駆動回路３６とを含んで構成される。
【００２１】
素子部１０には、Ｘ方向に延在するＭ本の走査線１２と、Ｘ方向に交差するＹ方向に延在するＮ本の信号線１４とが形成される（ＭおよびＮは自然数）。複数の画素回路ＰIXは、各走査線１２と各信号線１４との交差に対応して配置されて縦Ｍ行×横Ｎ列の行列状に配列する。また、素子部１０には、各信号線１４に対応してＹ方向に延在するＮ本の制御線１６と、各走査線１２に対応してＸ方向に延在するＭ本の共通電位線２２およびＭ本の容量電位線２４とが形成される。
【００２２】
図２は、各画素回路ＰIXの回路図である。図２においては、第ｍ行（ｍ＝１〜Ｍ）の第ｎ列（ｎ〜１〜Ｎ）に位置する１個の画素回路ＰIXが代表的に図示されている。図２に示すように、画素回路ＰIXは、液晶素子５０と３個のスイッチ（選択スイッチＴSL，第１制御スイッチＴC1，第２制御スイッチＴC2）と２個の容量素子（蓄積容量ＣS，制御用容量Ｃ1）とを含んで構成される。各スイッチ（ＴSL，ＴC1，ＴC2）は、例えば素子基板の面上に形成された任意の導電型（本形態ではＮチャネル型）の薄膜トランジスタで構成される。ただし、相補型のトランジスタ（例えばトランスファーゲート）を各スイッチ（ＴSL，ＴC1，ＴC2）として採用すれば、各々の駆動に必要な電圧を低減することが可能である。
【００２３】
液晶素子５０は、画素電極５２と共通電極（対向電極）５４と両電極間の液晶５６とで構成される電気光学素子である。画素電極５２は、素子基板（図示略）の面上に画素回路ＰIX毎に独立に形成され、共通電極５４は、素子基板に対向する対向基板（図示略）の面上に複数の画素回路ＰIXにわたって共通に形成される（図１参照）。画素電極５２と共通電極５４との間の液晶５６は、両電極間の電圧に応じて階調（透過率や反射率）が変化する。第１実施形態の液晶５６は、垂直配向型（ＶＡ(Vertical Alignment)）に設定され、画素電極５２と共通電極５４との間の電圧がゼロである場合に階調が最低（黒色）となるノーマリーブラックモードで動作する。
【００２４】
第ｎ列の各画素回路ＰIXの選択スイッチＴSLは、画素電極５２と第ｎ列の信号線１４との間に介在して両者の電気的な接続（導通／非導通）を制御する。第ｍ行の各画素回路ＰIXの蓄積容量ＣSは、画素電極５２と第ｍ行の容量電位線２４の間に介在する容量素子である。具体的には、蓄積容量ＣSは、画素電極５２に接続された電極ＥA1と容量電位線２４に接続された電極ＥA2と両電極間の誘電体とで構成される。蓄積容量ＣSは、画素電極５２の電位（液晶素子５０の印加電圧）を保持する機能と、容量電位線２４の電位（以下「容量電位」という）ＶCOM[m]に応じて画素電極５２の電位を変動させる結合容量の機能とを兼備する。
【００２５】
第ｍ行の各画素回路ＰIXの第１制御スイッチＴC1は、画素電極５２と第ｍ行の共通電位線２２との間に介在して両者の電気的な接続を制御する。第ｍ行の各画素回路ＰIXの制御用容量Ｃ1は、第１制御スイッチＴC1のゲートと第ｍ行の共通電位線２２との間（第１制御スイッチＴC1のゲート−ソース間）に介在する容量素子である。具体的には、制御用容量Ｃ1は、第１制御スイッチＴC1のゲートに接続された電極ＥB1と共通電位線２２に接続された電極ＥB2と両電極間の誘電体とで構成される。制御用容量Ｃ1は、第１制御スイッチＴC1のゲートの電位を保持する。
【００２６】
第ｎ列の各画素回路ＰIXの第２制御スイッチＴC2は、第１制御スイッチＴC1のゲートと第ｎ列の制御線１６との間に介在して両者の電気的な接続を制御する。第ｍ行の各画素回路ＰIXにおける選択スイッチＴSLおよび第２制御スイッチＴC2の各々のゲートは第ｍ行の走査線１２に共通に接続される。選択スイッチＴSLと第２制御スイッチＴC2とは導電型が共通するから、選択スイッチＴSLと第２制御スイッチＴC2とは同じ状態（オン状態／オフ状態）に制御される。
【００２７】
図１の駆動回路３０は、複数の画素回路ＰIXの各々を駆動することで各液晶素子５０の階調（透過率または反射率）を制御する。駆動回路３０による各画素回路ＰIXの駆動にはサブフィールド駆動が採用される。すなわち、駆動回路３０は、図３に示すように、画像表示の単位となるフィールドＦを区分した複数のサブフィールドＳF（ＳF1，ＳF2，ＳF3，……）の各々にて各画素回路ＰIXの液晶素子５０に２種類の電圧（ＶA，ＶB）の何れかを印加する。１個のフィールドＦ内の各サブフィールドＳFの時間長は２進加重の関係（ＳF1：ＳF2：ＳF3：……＝１：２：４：……）に設定される。もっとも、フィールドＦ内のサブフィールドＳFの個数や時間長は任意に変更される。
【００２８】
図４は、液晶素子５０の両電極間の電圧（絶対値）と液晶素子５０の階調（透過率または反射率）との関係を示すグラフである。図４の電圧ＶAは、液晶素子５０の階調を変化させる電圧であり、電圧ＶBは、電圧ＶAとは異なる電圧（本実施形態では電圧ＶAを下回る電圧）である。電圧ＶBは典型的には０Ｖに設定される。液晶素子５０は、電圧ＶAの印加で階調ＧWに制御され、電圧ＶBの印加で階調ＧBに制御される。液晶素子５０がノーマリーブラックモードで動作する本形態では、階調ＧWは最高の階調（白色）に相当し、階調ＧBは最低の階調（黒色）に相当する。フィールドＦのうち液晶素子５０に電圧ＶAを印加する時間と電圧ＶBを印加する時間との比率（サブフィールドＳFの個数）が、各画素回路ＰIXの指定階調に応じて可変に制御される。
【００２９】
図１の制御回路４４は、電気光学装置１００の動作を規定する各種の信号を生成して駆動回路３０および電位生成回路４２に供給する。例えば、制御回路４４は、各画素回路ＰIX（各液晶素子５０）の階調を指定する画像信号ＶIDを生成して駆動回路３０の信号線駆動回路３４に供給する。また、制御回路４４は、液晶素子５０の印加電圧の極性（正極性／負極性）を指定する極性信号ＰOLを駆動回路３０や電位生成回路４２に出力する。図３に示すように、極性信号ＰOLが指定する極性は、サブフィールドＳF毎に正極性（＋）および負極性（−）の一方から他方に順次に変化する。すなわち、液晶素子５０の印加電圧の極性はサブフィールドＳF毎に順次に反転する。
【００３０】
図１の電位生成回路４２は、第１階調電位ＶWTおよび第２階調電位ＶBKと、オン電位ＶONおよびオフ電位ＶOFFと、共通電位LCCOMとを生成する。第１階調電位ＶWTおよび第２階調電位ＶBKとオン電位ＶONおよびオフ電位ＶOFFとは信号線駆動回路３４に供給される。共通電位LCCOMは、Ｍ本の共通電位線２２と対向基板上の共通電極５４とに対して共通に供給される。共通電位LCCOMは、液晶素子５０の両電極間に印加される電圧の極性の基準となる所定の電位（典型的には固定の電位）である。
【００３１】
第１階調電位ＶWTは、液晶素子５０に図４の電圧ＶAを印加する（液晶素子５０を階調ＧWに制御する）ために利用され、第２階調電位ＶBKは、液晶素子５０に図４の電圧ＶBを印加する（液晶素子５０を階調ＧBに制御する）ために利用される。図３に示すように、第１階調電位ＶWTは、サブフィールドＳF毎に正側階調電位ＶWT[+]および負側階調電位ＶWT[-]の一方から他方に順次に変動する。正側階調電位ＶWT[+]は共通電位LCCOMを上回る電位であり、負側階調電位ＶWT[-]は共通電位LCCOMを下回る電位である。電位生成回路４２は、極性信号ＰOLが正極性（図３の正号(+)）を指示するサブフィールドＳFでは第１階調電位ＶWTを正側階調電位ＶWT[+]に設定し、極性信号ＰOLが負極性（図３の負号(-)）を指示するサブフィールドＳFでは第１階調電位ＶWTを負側階調電位ＶWT[-]に設定する。
正側階調電位ＶWT[+]と負側階調電位ＶWT[-]との中央値が共通電位LCCOMに相当する。第２階調電位ＶBKは、共通電位LCCOMと同じ電位に設定される。
【００３２】
オン電位ＶONおよびオフ電位ＶOFFは、第１制御スイッチＴC1の制御に利用される電位である。第１制御スイッチＴC1は、ゲートに対するオン電位ＶONの供給でオン状態に遷移し、ゲートに対するオフ電位ＶOFFの供給でオフ状態に遷移する。
【００３３】
図１の走査線駆動回路３２は、Ｍ本の走査線１２の各々を所定の期間（以下「書込期間」という）毎に順次に選択する。具体的には、走査線駆動回路３２は、各走査線１２に走査信号Ｙ[1]〜Ｙ[M]を出力することで、各フィールドＦのサブフィールドＳF内にてＭ本の走査線１２の各々を順次に選択する。第ｍ行の走査線１２に供給される走査信号Ｙ[m]は、第ｍ行の選択／非選択を指示する電圧信号である。すなわち、走査信号Ｙ[m]は、図３に示すように、各サブフィールドＳF内の第ｍ番目の書込期間（水平走査期間）Ｈ[m]にて選択電位ＶSEL_ON（走査線１２の選択を意味する電位）に設定され、他の期間にて非選択電位ＶSEL_OFF（走査線１２の非選択を意味する電位）に設定される。
【００３４】
図１の容量線駆動回路３６は、各容量電位線２４に容量電位ＶCOM[1]〜ＶCOM[M]を供給する。容量線駆動回路３６は、画素回路ＰIXの行数に相当するＭ個の単位回路Ｒ[1]〜Ｒ[M]を含んで構成される。単位回路Ｒ[m]は、容量電位ＶCOM[m]を生成して第ｍ行の容量電位線２４に供給する。図３に示すように、容量電位ＶCOM[m]は、同行の走査信号Ｙ[m]が選択電位ＶSEL_ONに設定される書込期間Ｈ[m]が経過するたびに（すなわち、サブフィールドＳF毎に）高位側電位ＶHおよび低位側電位ＶLの一方から他方に順次に変化する。高位側電位ＶHは低位側電位ＶLを上回る。なお、容量電位ＶCOM[m]の変動の周期は適宜に変更される。
【００３５】
図５は、各単位回路Ｒ[m]のブロック図である。図５に示すように、単位回路Ｒ[m]は、信号取得部３７と信号保持部３８と電位選択部３９とを含んで構成される。第ｍ行の単位回路Ｒ[m]の信号取得部３７は、次段の走査信号Ｙ[m+1]が選択電位ＶSEL_ONに設定される書込期間Ｈ[m]にて極性信号ＰOLを取込んで制御信号ＣTRLとして出力する。具体的には、信号取得部３７は、走査信号Ｙ[m+1]と走査信号Ｙ[m+1]の反転信号（反転回路３７１からの出力信号）とに応じて極性信号ＰOLの出力の可否を制御するスイッチ（トランスファーゲート）３７２を含んで構成される。
【００３６】
信号保持部３８は、信号取得部３７が出力した制御信号ＣTRLを、次回の書込期間Ｈ[m]の経過後に制御信号ＣTRLが更新されるまで保持する。図５に示すように、信号保持部３８は、否定論理積回路３８１と反転回路３８２とを含んで構成される。信号取得部３７が生成した制御信号ＣTRLと制御回路４４が生成した初期化信号ＲSとが否定論理積回路３８１に供給される。電気光学装置１００の起動の直後に初期化信号ＲSがローレベルに設定されることで否定論理積回路３８１の出力は強制的にハイレベルに初期化され、電気光学装置１００の動作中には、初期化信号ＲSがハイレベルに維持されることで制御信号ＣTRLの反転信号が否定論理積回路３８１から出力される。
【００３７】
電位選択部３９は、電位生成回路４２が生成した高位側電位ＶHおよび低位側電位ＶLの一方を制御信号ＣTRLに応じて選択して容量電位ＶCOM[m]として容量電位線２４に出力する。電位選択部３９は、高位側電位ＶHの出力の可否を制御するスイッチ３９１と、低位側電位ＶLの出力の可否を制御するスイッチ３９２とを含んで構成される。スイッチ３９１およびスイッチ３９２は、制御信号ＣTRLと制御信号ＣTRLの反転信号（否定論理積回路３８１の出力）とに応じて相補的に動作する。具体的には、制御信号ＣTRLがハイレベルであればスイッチ３９１がオン状態となって高位側電位ＶHが容量電位線２４に出力され、制御信号ＣTRLがローレベルであればスイッチ３９２がオン状態となって低位側電位ＶLが容量電位線２４に出力される。
【００３８】
したがって、図３に例示したように、極性信号ＰOLが正極性を指示するサブフィールドＳF内では書込期間Ｈ[m]の経過後（書込期間Ｈ[m+1]の開始時）に容量電位ＶCOM[m]が低位側電位ＶLから高位側電位ＶHに変化し、極性信号ＰOLが負極性を指示するサブフィールドＳF内では書込期間Ｈ[m]の経過後に容量電位ＶCOM[m]が高位側電位ＶHから低位側電位ＶLに変化する。なお、電気光学装置１００の起動の直後に初期化信号ＲSがローレベルに設定されることで、容量電位ＶCOM[1]〜ＶCOM[M]は一斉に低位側電位ＶLに初期化される。
【００３９】
図１の信号線駆動回路３４は、走査線駆動回路３２による各走査線１２の選択に同期して、階調信号Ｘ[1]〜Ｘ[N]を各信号線１４に出力するとともに制御信号Ｚ[1]〜Ｚ[N]を各制御線１６に出力する。書込期間Ｈ[m]にて第ｎ列の信号線１４に供給される階調信号Ｘ[n]は、第ｍ行の第ｎ列の画素回路ＰIXにおける液晶素子５０について階調ＧW（白表示）および階調ＧB（黒表示）の何れかを指定する電圧信号であり、第１階調電位ＶWTおよび第２階調電位ＶBKの何れかに設定される。書込期間Ｈ[m]にて第ｎ列の制御線１６に供給される制御信号Ｚ[n]は、第ｍ行の第ｎ列の画素回路ＰIXにおける第１制御スイッチＴC1の状態（オン状態／オフ状態）を指定する電圧信号であり、オン電位ＶONおよびオフ電位ＶOFFの何れかに設定される。なお、階調信号Ｘ[1]〜Ｘ[N]を生成する回路と制御信号Ｚ[1]〜Ｚ[N]を生成する回路とを別個に実装した構成も採用される。
【００４０】
図６は、信号線駆動回路３４のブロック図である。図６に示すように、信号線駆動回路３４は、分配回路６２と出力回路６４とを含んで構成される。分配回路６２は、第ｍ行のＮ個の画素回路ＰIXに対応する階調データＤ[1]〜Ｄ[N]を画像信号ＶIDから生成して書込期間Ｈ[m]にて並列に出力する回路である。書込期間Ｈ[m]にて分配回路６２から出力される階調データＤ[n]は、第ｍ行の第ｎ列に位置する画素回路ＰIXの液晶素子５０について階調ＧW（電圧ＶA）または階調ＧB（電圧ＶB）の何れかを指定するデータである。
【００４１】
図６に示すように、分配回路６２は、選択回路６２１と第１ラッチ回路６２３と第２ラッチ回路６２５とを含んで構成される。選択回路６２１は、各書込期間Ｈ[m]内にＮ系統の選択信号ＳEL[1]〜ＳEL[N]を順次にアクティブに設定する。例えば、開始パルスを順次に転送するＮ段のシフトレジスタが選択回路６２１として採用される。第１ラッチ回路６２３は、選択信号ＳEL[1]〜ＳEL[N]の各々（ＳEL[n]）がアクティブに設定された時点で制御回路４４から供給されている画像信号ＶIDを階調データＤ[n]として出力および保持する。すなわち、階調データＤ[1]〜Ｄ[N]が点順次で第１ラッチ回路６２３から並列に出力される。第２ラッチ回路６２５は、第１ラッチ回路６２３が出力する階調データＤ[1]〜Ｄ[N]を各書込期間Ｈ[m]の始点にて一斉に出力（線順次出力）および保持する。
【００４２】
出力回路６４は、階調信号Ｘ[1]〜Ｘ[N]と制御信号Ｚ[1]〜Ｚ[N]とを階調データＤ[1]〜Ｄ[N]に応じて生成して出力する。図６に示すように、出力回路６４は、画素回路ＰIXの列数に相当するＮ個の単位回路Ｕ[1]〜Ｕ[N]を含んで構成される。単位回路Ｕ[n]は、分配回路６２が出力する階調データＤ[n]に応じて階調信号Ｘ[n]および制御信号Ｚ[n]を生成して出力する。図６に示すように、単位回路Ｕ[n]は、階調信号Ｘ[n]を生成する電位選択回路６４１と制御信号Ｚ[n]を生成する電位選択回路６４３とを含んで構成される。図７は、電位選択回路６４１および電位選択回路６４３の動作（階調信号Ｘ[n]および制御信号Ｚ[n]の電位の設定）を説明するための図表である。
【００４３】
図６の電位選択回路６４１は、電位生成回路４２が生成した第１階調電位ＶWTおよび第２階調電位ＶBKの何れかを階調データＤ[n]に応じて選択して階調信号Ｘ[n]として信号線１４に出力する。具体的には、電位選択回路６４１は、図７に示すように、階調データＤ[n]が階調ＧWを指示する場合には第１階調電位ＶWTを選択する。したがって、階調信号Ｘ[n]は、極性信号ＰOLが正極性を指示するサブフィールドＳF内では正側階調電位ＶWT[+]に設定され、極性信号ＰOLが負極性を指示するサブフィールドＳF内では負側階調電位ＶWT[-]に設定される。他方、階調データＤ[n]が階調ＧBを指示する場合、電位選択回路６４１は第２階調電位ＶBK（共通電位LCCOM）を選択する。
【００４４】
電位選択回路６４３は、電位生成回路４２が生成したオン電位ＶONおよびオフ電位ＶOFFの何れかを階調データＤ[n]に応じて選択して制御信号Ｚ[n]として制御線１６に出力する。具体的には、電位選択回路６４３は、図７に示すように、階調データＤ[n]が階調ＧW（電圧ＶA）を指示する場合にはオフ電位ＶOFFを選択し、階調データＤ[n]が階調ＧB（電圧ＶB）を指示する場合にはオン電位ＶONを選択する。
【００４５】
次に、図８から図１３を参照して電気光学装置１００の動作を説明する。階調ＧW（白色）が指示された場合（図９，図１０）の動作と階調ＧB（黒色）が指示された場合（図１１，図１２）の動作とを、極性信号ＰOLが正極性を指示するサブフィールドＳF（図８のサブフィールドＳF[+]）と極性信号ＰOLが負極性を指示するサブフィールドＳF（図８のサブフィールドＳF[-]）とに区分して説明する。なお、以下では第ｍ行の第ｎ列の画素回路ＰIXに着目して動作を説明する。素子部１０内の各画素回路ＰIXについて同様の動作が実行される。
【００４６】
また、以下では、図８に示すように、非選択電位ＶSEL_OFFとオフ電位ＶOFFとを基準（０Ｖ）として、低位側電位ＶLを３Ｖ（ボルト）に設定し、共通電位LCCOMを５Ｖに設定し、高位側電位ＶHおよびオン電位ＶONを７Ｖに設定し、選択電位ＶSEL_ONを９Ｖに設定した場合を例示する。第１階調電位ＶWTの正側階調電位ＶWT[+]は６Ｖに設定され、負側階調電位ＶWT[-]は４Ｖに設定される。また、画素回路ＰIXの各スイッチ（ＴSL，ＴC1，ＴC2）の閾値電圧は２Ｖ以下と仮定する。なお、階調ＧB（黒表示）に対応する電圧ＶBは０Ｖであるが、極性信号ＰOLが正極性を指示するサブフィールドＳF[+]で液晶素子５０に印加される電圧＋ＶBと、極性信号ＰOLが負極性を指示するサブフィールドＳF[-]で液晶素子５０に印加される電圧−ＶBとを便宜的に区別する。
【００４７】
［Ａ］階調データＤ[n]が階調ＧW（白表示）を指示する場合（図８の部分(B)）
［Ａ１］極性信号ＰOLが正極性を指示するサブフィールドＳF[+]（図９）
極性信号ＰOLが正極性を指示するサブフィールドＳF[+]では、図８の部分(A)に示すように、第１階調電位ＶWTが正側階調電位ＶWT[+]（６Ｖ）に設定される。階調データＤ[n]は階調ＧWを指示するから、書込期間Ｈ[m]では、図９の部分(A)に示すように、信号線１４の階調信号Ｘ[n]が正側階調電位ＶWT[+]に設定され、制御線１６の制御信号Ｚ[n]がオフ電位ＶOFFに設定される。
【００４８】
図８の部分(A)に示すように、書込期間Ｈ[m]では、走査信号Ｙ[m]が選択電位ＶSEL_ONに設定されることで選択スイッチＴSLおよび第２制御スイッチＴC2がオン状態に遷移する。したがって、画素電極５２の電位ＶPは、図８の部分(B)および図９の部分(A)に示すように、選択スイッチＴSLを介して信号線１４から供給される正側階調電位ＶWT[+]に設定される。すなわち、液晶素子５０の両電極間には、正側階調電位ＶWT[+]と共通電位LCCOMとの差分に相当する正極性の電圧＋ＶA0が印加される。他方、図９の部分(A)に示すように、第１制御スイッチＴC1のゲートには第２制御スイッチＴC2を介して制御線１６からオフ電位ＶOFFが供給される。したがって、第１制御スイッチＴC1はオフ状態に制御される。すなわち、画素電極５２と共通電位線２２とは電気的に絶縁される。
【００４９】
書込期間Ｈ[m]が経過して走査信号Ｙ[m]が非選択電位ＶSEL_OFFに変化すると、選択スイッチＴSLおよび第２制御スイッチＴC2がオフ状態に制御される。したがって、画素電極５２と第１制御スイッチＴC1のゲートとが電気的なフローティング状態となる。画素電極５２の電位ＶPは蓄積容量ＣSで保持され、制御線１６から供給されたオフ電位ＶOFFは制御用容量Ｃ1で保持されるから、選択スイッチＴSLおよび第２制御スイッチＴC2がオフ状態に遷移した時点では、液晶素子５０の両電極間に電圧＋ＶA0が印加されるとともに第１制御スイッチＴC1がオフ状態に制御された状態が維持される。
【００５０】
図８の部分(A)に示すように、極性信号ＰOLが正極性を指示するサブフィールドＳF[+]では、書込期間Ｈ[m]の経過後の時点ｔA（書込期間Ｈ[m+1]の始点）において、容量電位ＶCOM[m]が低位側電位ＶLから高位側電位ＶHに上昇する。画素電極５２は蓄積容量ＣSを介して容量電位線２４に容量結合する。したがって、画素電極５２の電位ＶPは、図８の部分(B)に示すように、書込期間Ｈ[m]にて設定された正側階調電位ＶWT[+]から、容量電位線２４の容量電位ＶCOM[m]に連動して高位側に変化量ΔＶだけ変化（上昇）する。電位ＶPの変化量ΔＶは、以下の数式(1)で表現されるように、容量電位ＶCOM[m]の変化量（ＶH−ＶL）を蓄積容量ＣS（容量値ｃS）と液晶素子５０（容量値ｃLC）の容量比に応じて分割した電圧に相当する。数式(1)から理解されるように、蓄積容量ＣSの容量値ｃSが液晶素子５０の容量値ｃLCを充分に上回る場合、変化量ΔＶは、容量電位ＶCOM[m]の変化量（ＶH−ＶL）に近似される。
ΔＶ＝（ＶH−ＶL）・｛ｃS／（ｃS＋ｃLC）｝  ……(1)
【００５１】
以上の動作の結果、液晶素子５０の両電極間の電圧は、図８の部分(B)および図１０の部分(B)に示すように、書込期間Ｈ[m]にて設定された電圧＋ＶA0から、容量電位ＶCOM[m]の変化量（ＶH−ＶL）に応じた変化量ΔＶだけ高い正極性の電圧＋ＶAに拡大する。容量電位ＶCOM[m]に応じた変化後の液晶素子５０の印加電圧の絶対値が図４の電圧ＶA（所望の階調ＧWに対応する電圧）となるように、容量電位ＶCOM[m]の変化量（ＶH−ＶL）や正側階調電位ＶWT[+]が設定される。したがって、液晶素子５０は階調ＧW（白表示）に制御される。
【００５２】
［Ａ２］極性信号ＰOLが負極性を指示するサブフィールドＳF[-]（図１０）
極性信号ＰOLが負極性を指示するサブフィールドＳF[-]では、図８の部分(A)に示すように、第１階調電位ＶWTが負側階調電位ＶWT[-]（４Ｖ）に設定される。したがって、階調データＤ[n]が階調ＧWを指示する場合、書込期間Ｈ[m]では、図１０の部分(A)に示すように、信号線１４の階調信号Ｘ[n]が負側階調電位ＶWT[-]に設定され、制御線１６の制御信号Ｚ[n]がオフ電位ＶOFFに設定される。すなわち、走査信号Ｙ[m]が選択電位ＶSEL_ONに設定される書込期間Ｈ[m]では、図８の部分(B)および図１０の部分(A)に示すように、画素電極５２の電位ＶPが負側階調電位ＶWT[-]に設定されることで液晶素子５０の両電極間に負極性の電圧−ＶA0が印加され、第１制御スイッチＴC1がオフ状態に制御されることで画素電極５２と共通電位線２２とは電気的に絶縁される。
【００５３】
極性信号ＰOLが負極性を指示するサブフィールドＳF[-]では、図８の部分(A)に示すように、書込期間Ｈ[m]の経過後の時点ｔB（書込期間Ｈ[m+1]の始点）にて、容量電位ＶCOM[m]が高位側電位ＶHから低位側電位ＶLに低下する。したがって、画素電極５２の電位ＶPは、書込期間Ｈ[m]にて設定された負側階調電位ＶWT[-]から、容量電位ＶCOM[m]に連動して数式(1)の変化量ΔＶだけ低位側に変化（低下）する。すなわち、図８の部分(B)および図１０の部分(B)に示すように、液晶素子５０の両電極間の電圧は、書込期間Ｈ[m]にて設定された電圧−ＶA0から、容量電位ＶCOM[m]の変化量（ＶH−ＶL）に応じた変化量ΔＶだけ高い負極性の電圧−ＶAに拡大する。したがって、液晶素子５０は階調ＧW（白表示）に制御される。
【００５４】
以上のように、階調ＧWが指示された場合には、画素電極５２の電位ＶPが書込期間Ｈ[m]の経過後に容量電位ＶCOM[m]に応じて変化するから、階調信号Ｘ[n]の電位（ＶWT[+]，ＶWT[-]）と共通電位LCCOMとの差分（±ＶA0）を上回る電圧（±ＶA）が液晶素子５０に印加される。したがって、画素電極５２の電位ＶPを容量電位ＶCOM[m]に応じて変化させない構成と比較して、階調信号Ｘ[n]の振幅を低減することが可能である。
【００５５】
［Ｂ］階調データＤ[n]が階調ＧB（黒表示）を指示する場合（図８の部分(C)）
［Ｂ１］極性信号ＰOLが正極性を指示するサブフィールドＳF[+]（図１１）
階調データＤ[n]が階調ＧBを指示する場合、階調信号Ｘ[n]は、図７に示すように、極性信号ＰOLが指示する極性に関わらず、共通電位LCCOMと同電位の第２階調電位ＶBKに設定され、制御信号Ｚ[n]はオン電位ＶONに設定される。したがって、走査信号Ｙ[m]が選択電位ＶSEL_ONに設定される書込期間Ｈ[m]では、図１１の部分(A)に示すように、第２階調電位ＶBK（共通電位LCCOM）が信号線１４から選択スイッチＴSLを介して画素電極５２に供給される。他方、第１制御スイッチＴC1のゲートには第２制御スイッチＴC2を介して制御線１６からオン電位ＶON（７Ｖ）が供給される。
【００５６】
第１制御スイッチＴC1のゲートの電位（オン電位ＶON）とソースの電位（共通電位線２２の共通電位LCCOM）との電位差は第１制御スイッチＴC1の閾値電圧（２Ｖ以下）を上回るから、第１制御スイッチＴC1はオン状態に遷移して画素電極５２と共通電位線２２とが電気的に接続される。すなわち、第２階調電位ＶBKの信号線１４と共通電位LCCOMの共通電位線２２との双方が画素電極５２に接続される。第２階調電位ＶBKと共通電位LCCOMとは同電位であるから、画素電極５２の電位ＶPは、図８の部分(C)や図１１の部分(A)に示すように、共通電極５４と同じ共通電位LCCOM（第２階調電位ＶBK）に設定される。したがって、図１１の部分(A)に示すように、液晶素子５０の印加電圧は、正極性の電圧＋ＶB（０Ｖ）に設定される。すなわち、液晶素子５０は階調ＧB（黒表示）に制御される。第１制御スイッチＴC1のゲートのオン電位ＶONは制御用容量Ｃ1で保持されるから、共通電位LCCOMが共通電位線２２から第１制御スイッチＴC1を介して画素電極５２に供給される状態は、書込期間Ｈ[m]の経過後も維持される。
【００５７】
図８の部分(A)に示すように、書込期間Ｈ[m]の経過後の時点ｔAでは容量電位ＶCOM[m]が低位側電位ＶLから高位側電位ＶHに変化する。しかし、画素電極５２は時点ｔAにて共通電位線２２に接続されている（共通電位LCCOMが供給されている）。すなわち、階調ＧWが指示された場合には時点ｔAにて画素電極５２が電気的なフローティング状態に設定されるのに対し、階調ＧBが指示された場合には時点ｔAにて画素電極５２は電気的なフローティング状態に設定されない。したがって、画素電極５２と容量電位線２４（蓄積容量ＣSの電極ＥA2）との容量結合に起因した電位ＶPの変動は発生しない。あるいは、図８の部分(C)のように容量電位ＶCOM[m]に連動して僅かに変動した場合でも画素電極５２の電位ＶPは直ちに共通電位LCCOMに復帰する。したがって、液晶素子５０の両電極間の電圧は、容量電位ＶCOM[m]の変動後（時点ｔAの経過後）も、書込期間Ｈ[m]にて設定された電圧＋ＶBに維持される。
【００５８】
［Ｂ２］極性信号ＰOLが負極性を指示するサブフィールドＳF[-]（図１２）
階調データＤ[n]が階調ＧBを指示する場合、極性信号ＰOLが負極性を指示するサブフィールドＳF[-]での動作は、正極性が指示されるサブフィールドＳF[+]での動作と同様である。すなわち、図１２の部分(A)に示すように、階調信号Ｘ[n]が共通電位LCCOMと同電位の第２階調電位ＶBKに設定され、かつ、第１制御スイッチＴC1がオン電位ＶONの供給でオン状態に制御される。したがって、画素電極５２には共通電位LCCOM（第２階調電位ＶBK）が供給され、負極性の電圧−ＶB（０ｖ）の印加で液晶素子５０は階調ＧB（黒色）に制御される。
【００５９】
書込期間Ｈ[m]の経過後も画素電極５２と共通電位線２２との接続は維持されるから、時点ｔBにて容量電位ＶCOM[m]が高位側電位ＶHから低位側電位ＶLに変化しても、画素電極５２の電位ＶPは共通電位LCCOMに維持される。したがって、液晶素子５０の両電極間の電圧は、図１２の部分(B)に示すように、容量電位ＶCOM[m]の変動後（時点ｔBの経過後）も、書込期間Ｈ[m]にて設定された電圧−ＶBに維持される。
【００６０】
以上に説明したように、階調ＧBが指示された場合には、容量電位ＶCOM[m]が変化する時点（ｔA，ｔB）にて画素電極５２と共通電位線２２とが電気的に接続されるから、画素電極５２の電位ＶPは、容量電位ＶCOM[m]の変化に連動せずに共通電位線２２の共通電位LCCOMに維持される。以上の構成のもとでは、書込期間Ｈ[m]内における画素電極５２の電位ＶPを、図１８の電位ＶBK[+]や電位ＶBK[-]（すなわち、容量電位ＶCOMに連動した変化後の電位ＶPを共通電位LCCOMと同電位に設定するための電位）の間で変化させる必要はない。したがって、階調ＧBの指定時にも画素電極５２の電位ＶPが容量電位ＶCOM[m]に連動して変化する図１８の技術と比較して、階調信号Ｘ[n]の振幅を低減することが可能である。具体的には、図１８の技術のもとでは電位ＶBK[+]と電位ＶBK[ー]との電位差ΔＶBKに相当する振幅を階調信号Ｘ[n]に確保する必要があるのに対し、第１実施形態においては、正側階調電位ＶWT[+]と負側階調電位ＶWT[-]との間で階調信号Ｘ[n]を変化させれば足りる。したがって、信号線駆動回路３４に必要となる耐圧性能が低減されるとともに消費電力が削減されるという利点がある。
【００６１】
また、階調信号Ｘ[n]の振幅が低減されるから、選択スイッチＴSLの制御に必要となる選択電位ＶSEL_ONも低減される。したがって、耐圧性能の低減や消費電力の削減を走査線駆動回路３２についても実現することが可能である。さらに、第２階調電位ＶBKを極性信号ＰOLに応じて変動させる必要がないから、電位ＶBK[+]および電位ＶBK[-]の一方から他方に順次に変動する交流電源が必要となる図１８の技術と比較して、電位生成回路４２の構成や動作が簡素化される（交流電源の種類数が削減される）という利点もある。
【００６２】
なお、図１８の技術のもとで黒色を表示する場合、書込期間Ｈ[m]の始点から容量電位ＶCOMが変動する時点までの間に、電位±ＶBK[+]と共通電位LCCOMとの差分に相当する電圧δが液晶素子８０に印加される。したがって、液晶素子８０の階調が理想的な黒色よりも明るい階調となる黒浮きが発生して画像のコントラストが低下するという問題がある。他方、第１実施形態においては、容量電位ＶCOM[m]に連動した電位ＶPの変化を書込期間Ｈ[m]内での画素電極５２の電位ＶPの設定に加味する必要がないから、以上の例示のように、書込期間Ｈ[m]の当初から画素電極５２の電位ＶPを共通電位LCCOM（第２階調電位ＶBK）に設定することが可能である。したがって、図１８の技術のもとでコントラストの低下の原因となる黒浮きを有効に防止できるという利点がある。
【００６３】
＜Ｂ：第２実施形態＞
次に、本発明の第２実施形態について説明する。なお、以下の各例示において作用や機能が第１実施形態と同等である要素については以上と共通の符号を付して各々の詳細な説明を適宜に省略する。
【００６４】
第１実施形態においては、第１階調電位ＶWTおよび第２階調電位ＶBKの何れかを選択的に各信号線１４に供給した。第２実施形態においては、階調ＧWおよび階調ＧBの何れが指定された場合にも（すなわち、階調データＤ[n]の内容に関わらず）、Ｎ本の信号線１４に共通電位LCCOMが供給される。例えば、図６のＮ個の電位選択回路６４１を省略するとともにＮ本の信号線１４を共通電位LCCOMの供給線に接続した構成が採用される。あるいは、第ｍ行の各画素回路ＰIXにおける選択スイッチＴSLのソース（画素電極５２とは反対側の端子）を第ｍ行の共通電位線２２（共通電位LCCOM）に接続した構成も採用され得る。
【００６５】
図１３は、階調データＤ[n]が階調ＧW（白表示）を指示する場合の電気光学装置１００の動作のタイミングチャートである。極性信号ＰOLが正極性を指示するサブフィールドＳF[+]内の書込期間Ｈ[m]では、画素電極５２の電位ＶPが、信号線１４から選択スイッチＴSLを介して供給される共通電位LCCOMに設定される。第１制御スイッチＴC1はオフ状態に制御されるから、書込期間Ｈ[m]が経過すると、画素電極５２は電気的なフローティング状態に設定される。したがって、書込期間Ｈ[m]の経過後の時点ｔAにて容量電位ＶCOM[m]が低位側電位ＶLから高位側電位ＶHに上昇すると、画素電極５２の電位ＶPは、書込期間Ｈ[m]で設定された共通電位LCCOMから容量電位ＶCOM[m]の変動（ＶH−ＶL）に応じた変化量ΔＶだけ上昇する。以上の電位ＶPの変化で液晶素子５０の両電極間には正極性の電圧＋ＶAが印加される。したがって、液晶素子５０は階調ＧWに制御される。
【００６６】
極性信号ＰOLが負極性を指示するサブフィールドＳF[-]内の書込期間Ｈ[m]でも同様に、画素電極５２に共通電位LCCOMが供給されるとともに第１制御スイッチＴC1がオフ状態に制御される。書込期間Ｈ[m]の経過後の時点ｔBでは容量電位ＶCOM[m]が高位側電位ＶHから低位側電位ＶLに低下するから、画素電極５２の電位ＶPは、共通電位LCCOMから変化量ΔＶだけ低下する。したがって、液晶素子５０は、負極性の電圧−ＶAの印加で階調ＧWに制御される。
【００６７】
以上のように、第２実施形態のもとで階調ＧWが指示された場合には、液晶素子５０の印加電圧が変化量ΔＶに設定される。したがって、変化量ΔＶが図４の電圧ＶAとなるように、容量電位ＶCOM[m]の変化量（ＶH−ＶL）が設定される。具体的には、第２実施形態では、第１実施形態での変化量ΔＶよりも大きい変化量ΔＶを確保する必要があるから、図１３に示すように、容量電位ＶCOM[m]の振幅が、第１実施形態での振幅（３Ｖ−７Ｖ）よりも広い範囲（2.5Ｖ−7.5Ｖ）に設定される。
【００６８】
他方、階調ＧB（黒色）が指示された場合、第１制御スイッチＴC1がオン状態に制御されるから、書込期間Ｈ[m]にて画素電極５２に供給された共通電位LCCOMが、容量電位ＶCOM[m]の変動の時点（ｔA，ｔB）でも維持される。したがって、第１実施形態と同様に、液晶素子５０は電圧ＶBの印加で階調ＧBに制御される。
【００６９】
第２実施形態においても第１実施形態と同様の効果が実現される。また、第２実施形態においては、信号線１４の電位が共通電位LCCOMに固定されるから、信号線駆動回路３４の構成や動作が第１実施形態と比較して簡素化されるという利点もある。また、極性信号ＰOLに応じて変動する電位（例えば第１実施形態の第１階調電位ＶWT）が不要であるから、電位生成回路４２の構成や動作を簡素化することも可能である。
【００７０】
＜Ｃ：変形例＞
以上の各形態には様々な変形が加えられる。具体的な変形の態様を以下に例示する。以下の例示から任意に選択された２以上の態様は併合され得る。
【００７１】
（１）変形例１  
画素回路ＰIXの構成は適宜に変更される。例えば、以上の各形態では、選択スイッチＴSLと第２制御スイッチＴC2とを共通の走査線１２に接続したが、選択スイッチＴSLと第２制御スイッチＴC2とを別個の配線に接続したうえで相異なる信号で制御する構成も採用される。もっとも、選択スイッチＴSLと第２制御スイッチＴC2とを共通の走査線１２に接続した構成によれば、両者を別個の配線に接続した構成と比較して素子部１０の簡素化（配線数の削減）が実現されるという利点がある。
【００７２】
以上の各形態では共通電位線２２を行毎に形成したが、複数行（２行〜Ｍ行）を単位として１本の共通電位線２２を形成したうえで複数行の各画素回路ＰIXの駆動に共用する構成も採用される。また、例えば第１制御スイッチＴC1のゲートに付随する容量（例えば第１制御スイッチＴC1のゲート容量や寄生容量）が充分に確保されるならば制御用容量Ｃ1は省略され得る。
【００７３】
（２）変形例２  
画素電極５２と共通電極５４との間の電圧がゼロである場合に階調が最高（白色）となるノーマリーホワイトモードの液晶素子５０を採用した電気光学装置１００にも以上の各形態が同様に適用される。すなわち、階調データＤ[n]が階調ＧW（白色）を指示する場合（液晶素子５０に電圧±ＶBを印加する場合）には画素電極５２が共通電位線２２に接続され、階調データＤ[n]が階調ＧB（黒色）を指示する場合（液晶素子５０に電圧±ＶAを印加する場合）には画素電極５２が電気的なフローティング状態に設定される。すなわち、以上の各形態における駆動方法は、電圧±ＶAを液晶素子５０に印加する場合（例えばノーマリーブラックモードで階調ＧWが指示された場合およびノーマリーホワイトモードで階調ＧBが指示された場合）に第１制御スイッチＴC1をオフ状態に制御して画素電極５２と共通電位線２２とを電気的に絶縁し（すなわち、画素電極５２を電気的なフローティング状態に設定し）、電圧±ＶAを下回る電圧±ＶBを液晶素子５０に印加する場合（例えばノーマリーブラックモードで階調ＧBが指示された場合およびノーマリーホワイトモードで階調ＧWが指示された場合）に第１制御スイッチＴC1をオン状態に制御して画素電極５２を共通電位線２２に接続する方法として包括される。
【００７４】
（３）変形例３  
以上の各形態では、階調ＧBが指示された場合（電圧±ＶBの印加が指示された場合）に、書込期間Ｈ[m]の始点から次回の書込期間Ｈ[m]の始点まで第１制御スイッチＴC1をオン状態に維持した。しかし、以上の説明から理解されるように、容量電位ＶCOM[m]に連動した電位ＶPの変動が特定の階調（例えば第１実施形態や第２実施形態での階調ＧB）の指定時に回避されるならば、本発明の所期の効果は実現される。したがって、容量電位ＶCOM[m]が変動する時点（例えば時点ｔAや時点ｔB）を少なくとも含む期間にて画素電極５２が共通電位線２２に接続される構成であれば、他の期間における画素電極５２と共通電位線２２との導通／非導通に関わらず、本発明の所期の効果は実現される。すなわち、第１実施形態や第２実施形態において書込期間Ｈ[m]の始点から第１制御スイッチＴC1をオン状態に制御しているのは、選択スイッチＴSLと第２制御スイッチＴC2とを共通の走査信号Ｙ[m]で制御する構成にとって好適だからであり、例えば第２制御スイッチＴC2が選択スイッチＴSLとは独立に制御される構成であれば、書込期間Ｈ[m]とは無関係に第１制御スイッチＴC1をオン状態に制御することが可能である。
【００７５】
（４）変形例４  
液晶素子５０は電気光学素子の例示である。例えば、電気泳動素子や発光素子（例えば有機ＥＬ素子）を以上の各形態の液晶素子５０に置換した構成も採用される。すなわち、電気光学素子は、電圧（電界）の印加や電流の供給などの電気的な作用に応じて階調（透過率や輝度などの光学的な特性）が変化する被駆動素子として包括される。
【００７６】
＜Ｄ：応用例＞
次に、以上の各態様に係る電気光学装置１００を利用した電子機器について説明する。図１４ないし図１６には、電気光学装置１００を表示装置として採用した電子機器の形態が図示されている。
【００７７】
図１４は、電気光学装置１００を採用した可搬型のパーソナルコンピュータの構成を示す斜視図である。パーソナルコンピュータ２０００は、各種の画像を表示する電気光学装置１００と、電源スイッチ２００１やキーボード２００２が設置された本体部２０１０とを具備する。
【００７８】
図１５は、電気光学装置１００を適用した携帯電話機の構成を示す斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００７９】
図１６は、電気光学装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する電気光学装置１００とを備える。電源スイッチ４００２を操作すると、住所録やスケジュール帳といった様々な情報が電気光学装置１００に表示される。
【００８０】
なお、本発明に係る電気光学装置が適用される電子機器としては、図１４から図１６に例示した機器のほか、プロジェクタ、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【符号の説明】
【００８１】
１００……電気光学装置、１０……素子部、ＰIX……画素回路、１２……走査線、１４……信号線、１６……制御線、２２……共通電位線、２４……容量電位線、３０……駆動回路、３２……走査線駆動回路、３４……信号線駆動回路、３６……容量線駆動回路、Ｒ[1]〜Ｒ[M]……単位回路、４２……電位生成回路、４４……制御回路、５２……画素電極、５４……共通電極、５６……液晶、ＴSL……選択スイッチ、ＴC1……第１制御スイッチ、ＴC2……第２制御スイッチ、ＣS……蓄積容量、Ｃ1……制御用容量、６２……分配回路、６２１……選択回路、６２３……第１ラッチ回路、６２５……第２ラッチ回路、６４……出力回路、Ｕ[1]〜Ｕ[N]……単位回路、６４１，６４３……電位選択回路。
【図１】
2011027893.tif 000003
【図２】
2011027893.tif 000004
【図３】
2011027893.tif 000005
【図４】
2011027893.tif 000006
【図５】
2011027893.tif 000007
【図６】
2011027893.tif 000008
【図７】
2011027893.tif 000009
【図８】
2011027893.tif 000010
【図９】
2011027893.tif 000011
【図１０】
2011027893.tif 000012
【図１１】
2011027893.tif 000013
【図１２】
2011027893.tif 000014
【図１３】
2011027893.tif 000015
【図１４】
2011027893.tif 000016
【図１５】
2011027893.tif 000017
【図１６】
2011027893.tif 000018
【図１７】
2011027893.tif 000019
【図１８】
2011027893.tif 000020